【手続補正書】
【提出日】令和2年6月16日(2020.6.16)
【手続補正１】
【補正対象書類名】明細書
【補正対象項目名】発明の名称
【補正方法】変更
【補正の内容】
【発明の名称】情報処理装置及びその制御方法、並びにプログラム
【手続補正２】
【補正対象書類名】明細書
【補正対象項目名】０００１
【補正方法】変更
【補正の内容】
【０００１】
本発明は、情報処理装置及びその制御方法、並びにプログラムに関する。
【手続補正３】
【補正対象書類名】明細書
【補正対象項目名】０００６
【補正方法】変更
【補正の内容】
【０００６】
本発明の目的は、無線ＬＡＮの役割に対応する適切なアクセスポイントと通信接続することができる情報処理装置及びその制御方法、並びにプログラムを提供することにある。
【手続補正４】
【補正対象書類名】明細書
【補正対象項目名】０００７
【補正方法】変更
【補正の内容】
【０００７】
上記目的を達成するために、本発明の情報処理装置は、外部アクセスポイントに接続し当該外部アクセスポイントを介した無線通信を行う無線通信インタフェースを有する情報処理装置であって、情報処理装置が接続すべきアクセスポイントに対応するＳＳＩＤと認証情報を少なくとも含む接続情報を記憶する記憶手段と、前記記憶手段に記憶された接続情報に基づいて外部アクセスポイントに接続する接続手段と、前記無線通信インタフェースの通信モードを第１の通信モード及び第２の通信モードのうちの１つに変更する指示を受信する受信手段と、前記変更する指示を受信した場合、前記指示に基づき前記無線通信インタフェースの通信モードを変更する前に、前記接続情報に基づく外部アクセスポイントに再接続が行われないよう、前記記憶手段の接続情報を更新する更新手段と、を有することを特徴とする。
【手続補正５】
【補正対象書類名】特許請求の範囲
【補正対象項目名】全文
【補正方法】変更
【補正の内容】
【特許請求の範囲】
【請求項１】
外部アクセスポイントに接続し当該外部アクセスポイントを介した無線通信を行う無線通信インタフェースを有する情報処理装置であって、
情報処理装置が接続すべきアクセスポイントに対応するＳＳＩＤと認証情報を少なくとも含む接続情報を記憶する記憶手段と、
前記記憶手段に記憶された接続情報に基づいて外部アクセスポイントに接続する接続手段と、
前記無線通信インタフェースの通信モードを第１の通信モード及び第２の通信モードのうちの１つに変更する指示を受信する受信手段と、 前記変更する指示を受信した場合、前記指示に基づき前記無線通信インタフェースの通信モードを変更する前に、前記接続情報に基づく外部アクセスポイントに再接続が行われないよう、前記記憶手段の接続情報を更新する更新手段と、を有することを特徴とする情報処理装置。
【請求項２】
前記更新手段は、前記記憶手段に記憶された接続情報に対応するデータを削除することにより、前記記憶手段に含まれる接続情報を示すデータが、前記無線通信インタフェースの通信モードの変更前に使用されていたアクセスポイントに対応するデータを含まないデータとなるように更新することを特徴とする請求項１に記載の情報処理装置。
【請求項３】
外部アクセスポイントに接続し当該外部アクセスポイントを介した無線通信を行う無線通信インタフェースを有する情報処理装置であって、
情報処理装置が接続すべきアクセスポイントの接続情報を記憶する記憶手段と、
前記記憶手段に記憶された接続情報に基づいて外部アクセスポイントに接続する接続手段と、
前記無線通信インタフェースの通信モードを第１の通信モード及び第２の通信モードのうちの１つに変更する指示を受信する受信手段と、 前記変更する指示を受信した場合、前記指示に基づき前記無線通信インタフェースの通信モードを変更する前に、前記接続情報に基づく外部アクセスポイントに再接続が行われないよう、前記記憶手段の接続情報を削除する削除手段と、を有することを特徴とする情報処理装置。
【請求項４】
前記指示に基づき前記無線通信インタフェースの通信モードを変更したことに従って、外部アクセスポイントに接続するための接続情報の入力を促す情報を通知する通知手段を更に備えることを特徴とする請求項２又は３に記載の情報処理装置。
【請求項５】
前記通知手段は、更に前記無線通信インタフェースの接続情報が初期化されたことを示す情報を通知することを特徴とする請求項４に記載の情報処理装置。
【請求項６】
前記第１の通信モードは、前記無線通信インタフェースをプライマリネットワークに接続する通信インタフェースとして使用する通信モードであり、前記第２の通信モードは、前記無線通信インタフェースをサブネットワークに接続するネットワークインターフェースとして使用する通信モードであることを特徴とする請求項１乃至５のいずれか項に記載の情報処理装置。
【請求項７】
前記無線通信インタフェースの通信モードを第１の通信モード及び第２の通信モードのうちの１つに変更する指示を受け付けるための画面を表示する表示制御手段を更に有し、
前記指示は前記画面を介したユーザ操作に基づき受け付けられることを特徴とする請求項１乃至６のいずれか１項に記載の情報処理装置。
【請求項８】
有線を用いて通信を行う有線通信インタフェースを更に有し、
前記第２の通信モードを使用することが設定されている場合、前記有線通信インタフェースがプライマリネットワークに接続する通信インタフェースとして使用されることを特徴とする請求項７に記載の情報処理装置。
【請求項９】
原稿を読み取る読取手段と、
前記読取手段で原稿を読み取って得られた画像データを前記無線通信インタフェース又は有線通信インタフェースを介して外部に送信する送信制御手段とを更に有することを特徴とする請求項８に記載の情報処理装置。
【請求項１０】
前記情報処理装置は、印刷装置であることを特徴とする請求項１乃至８のいずれか１項に記載の情報処理装置。
【請求項１１】
外部アクセスポイントに接続し当該外部アクセスポイントを介した無線通信を行う無線通信インタフェースを有する情報処理装置の制御方法であって、
情報処理装置が接続すべきアクセスポイントに対応するＳＳＩＤと認証情報を少なくとも含む接続情報を所定の記憶領域に格納する格納工程と、
前記所定の記憶領域に格納された接続情報に基づいて外部アクセスポイントに接続する接続制御工程と、
前記無線通信インタフェースの通信モードを第１の通信モード及び第２の通信モードのうちの１つに変更する指示を受信する受信工程と、 前記変更する指示を受信した場合、前記指示に基づき前記無線通信インタフェースの通信モードを変更する前に、前記接続情報に基づく外部アクセスポイントに再接続が行われないよう、前記所定の記憶領域に記憶された接続情報を更新する更新制御工程と、を有することを特徴とする情報処理装置の制御方法。
【請求項１２】
外部アクセスポイントに接続し当該外部アクセスポイントを介した無線通信を行う無線通信インタフェースを有する情報処理装置の制御方法であって、
情報処理装置が接続すべきアクセスポイントに対応するＳＳＩＤと認証情報を少なくとも含む接続情報を所定の記憶領域に格納する格納工程と、
前記所定の記憶領域に格納された接続情報に基づいて外部アクセスポイントに接続する接続制御工程と、
前記無線通信インタフェースの通信モードを第１の通信モード及び第２の通信モードのうちの１つに変更する指示を受信する受信工程と、 前記変更する指示を受信した場合、前記指示に基づき前記無線通信インタフェースの通信モードを変更する前に、前記接続情報に基づく外部アクセスポイントに再接続が行われないよう、前記所定の記憶領域に記憶された接続情報を削除する削除工程と、を有することを特徴とする情報処理装置の制御方法。
【請求項１３】
外部アクセスポイントに接続し当該外部アクセスポイントを介した無線通信を行う無線通信インタフェースを有する情報処理装置のコンピュータに、
情報処理装置が接続すべきアクセスポイントに対応するＳＳＩＤと認証情報を少なくとも含む接続情報を所定の記憶領域に格納する格納工程と、
前記所定の記憶領域に格納された接続情報に基づいて外部アクセスポイントに接続する接続制御工程と、
前記無線通信インタフェースの通信モードを第１の通信モード及び第２の通信モードのうちの１つに変更する指示を受信する受信工程と、 前記変更する指示を受信した場合、前記指示に基づき前記無線通信インタフェースの通信モードを変更する前に、前記接続情報に基づく外部アクセスポイントに再接続が行われないよう、前記所定の記憶領域に記憶された接続情報を更新する更新制御工程と、を実行させるためのプログラム。
【請求項１４】
外部アクセスポイントに接続し当該外部アクセスポイントを介した無線通信を行う無線通信インタフェースを有する情報処理装置のコンピュータに、
情報処理装置が接続すべきアクセスポイントに対応するＳＳＩＤと認証情報を少なくとも含む接続情報を所定の記憶領域に格納する格納工程と、
前記所定の記憶領域に格納された接続情報に基づいて外部アクセスポイントに接続する接続制御工程と、
前記無線通信インタフェースの通信モードを第１の通信モード及び第２の通信モードのうちの１つに変更する指示を受信する受信工程と、 前記変更する指示を受信した場合、前記指示に基づき前記無線通信インタフェースの通信モードを変更する前に、前記接続情報に基づく外部アクセスポイントに再接続が行われないよう、前記所定の記憶領域に記憶された接続情報を削除する削除工程と、を実行させるためのプログラム。